(57)【特許請求の範囲】
【請求項１】
少なくとも第１および第２形式のセルラ電気通信システムにおける通信動作を支援する多モードの移動局において、
加入者識別モジュール（ＳＩＭ）カードであって、前記第２形式のセルラ電気通信システムを除く前記第１形式のセルラ電気通信システムに関する通信標準要求加入情報を記憶し、前記記憶された通信標準要求加入情報が前記第２形式のセルラ電気通信システムを含む多くの異なる形式のセルラ電気通信システムにより共有される共通の情報を含む、前記ＳＩＭカードと、
前記第２形式のセルラ電気通信システムに固有である非共通の通信標準要求加入情報を記憶するメモリと、
前記ＳＩＭカードのスロットおよび前記メモリに接続されたプロセッサであって、挿入された前記ＳＩＭカードから前記共通の通信標準要求加入情報を取り出し、前記メモリから取り出された前記非共通の通信標準要求予約情報と共に使用して、前記第２形式のセルラ電気通信システムにおけるセルラ電気通信に関与する前記プロセッサと、
を備えていることを特徴とする、多モードの移動局。
【請求項２】
前記ＳＩＭカードに記憶される通信標準要求加入情報は、加入する前記セルラ電気通信システムの形式毎に異なるディレクトリに記憶され、前記ＳＩＭカードが少なくとも１つの前記ディレクトリを含むことを特徴とする、請求項１に記載の多モードの移動局。
【請求項３】
前記プロセッサは、前記ＳＩＭカードから前記記憶した通信標準要求加入情報を取り出して前記第１形式のセルラ電気通信システムにおけるセルラ電気通信に関与するように適応されることを特徴とする、請求項１に記載の多モードの移動局。
【請求項４】
前記第１形式のセルラ電気通信システムは、陸上セルラ・システムを備えていることを特徴とする、請求項１に記載の多モードの移動局。
【請求項５】
前記陸上セルラ・システムは、移動通信用全地球（ＧＳＭ）システムを備えていることを特徴とする、請求項４に記載の多モードの移動局。
【請求項６】
前記第２形式のセルラ電気通信システムは、衛星セルラ・システムを備えていることを特徴とする、請求項１に記載の多モードの移動局。
【請求項７】
前記衛星セルラ・システムは、アジア・セルラ衛星（ＡＣｅＳ）システムを備えていることを特徴とする、請求項６に記載の多モードの移動局。
【請求項８】
多モードの移動局を動作させる方法であって、前記移動局が複数形式のセルラ電気通信システムにおける通信動作を支援し、かつ前記複数のシステムのそれぞれに固有な非共通の通信標準要求加入情報を内部的に記憶する方法において、
前記複数形式のセルラ電気通信システムから特定の一つのシステムを動作させるための選択に応答して、挿入された加入者識別モジュール（ＳＩＭ）カード上に前記特定のシステムに関する通信標準要求加入情報が記憶されているか否かを調べるステップと、
イエスのときは、
前記特定のシステムを介するセルラ電気通信に関与する際に、前記ＳＩＭカードから前記記憶した通信標準要求加入情報を取り出して使用するステップと、
ノーのときは、
前記ＳＩＭカードから前記複数のシステム間で共有される記憶した共通の通信標準要求加入情報を取り出すステップと、
前記特定のシステムを介するセルラ電気通信に関与する際に、前記ＳＩＭカードからではなく、前記特定のシステムに関して前記内部的に記憶した非共通の通信標準要求加入情報と共に、前記取り出した共通の通信標準要求加入情報を使用するステップと、
を備えていることを特徴とする、多モードの移動局を動作させる方法。
【請求項９】
前記複数形式のセルラ電気通信システムは、陸上セルラ・システムおよび衛星セルラ電気通信システムの両方を含むことを特徴とする、請求項８に記載の方法。
【請求項１０】
少なくとも第１および第２形式のセルラ電気通信システムにおける通信動作を支援する多モードの移動局において、
取外し可能な加入者識別モジュール（ＳＩＭ）カードを受容するスロットであって、前記ＳＩＭカードが前記第２形式のセルラ電気通信システムを除く前記第１形式のセルラ電気通信システムに関する通信標準要求加入情報を記憶し、前記記憶された通信標準要求加入情報が前記第２形式のセルラ電気通信システムを含む多くの異なる形式のセルラ電気通信システムにより共有される共通の情報を含む、前記スロットと、
前記第２形式のセルラ電気通信システムに固有である非共通の通信標準要求加入情報を記憶する、前記移動局内のメモリと、
前記スロットおよび前記メモリに接続されたプロセッサであって、前記挿入されたＳＩＭカードから前記共通の通信標準要求加入情報を取り出し、前記メモリから取り出された前記非共通の通信標準要求予約情報と共に使用して、前記第２形式のセルラ電気通信システムにおけるセルラ電気通信に関与する前記プロセッサと、
を備えていることを特徴とする、多モードの移動局。
【発明の詳細な説明】
発明の背景
この発明は、電気通信システム内で動作可能な多モード移動局、特に挿入された加入者識別モジュール（ｓｕｂｓｃｒｉｂｅｒ  ｉｄｅｎｔｉｔｙ  ｍｏｄｕｌｅ：ＳＩＭ）カードが支援された複数形式のセルラ電話システムのうちで選択されていないものに関する完全な通信標準要求予約情報（ｃｏｍｍｕｎｉｃａｔｉｏｎｓ  ｓｔａｎｄａｒｄ  ｒｅｑｕｉｒｅｄ  ｓｕｂｓｃｒｉｐｔｉｏｎ  ｓｔａｎｄａｒｄ）を含んでいる場合に、２又はそれより多くの異なる形式のセルラ電話システムのうちで選択されたもの内で動作可能な多モード移動局に関する。
関連技術の説明
現在、陸上セルラ電話システムは、加入者が世界の大抵の主要市街地域において通常的に利用することができる。しかしながら、このようなシステムの成功及びサービス・エリアの拡大に対する要求の増大にもかかわらず、陸上セルラ電話システムが商業的に、及び経済的に変更可能な通信オプションは存在していない地域がある。例えば、低い人口密度を有する田園地域は、陸上セルラ電話システムの基盤施設を構築するコストを正当化するのに実質的に十分な可能性のある加入者ベースを提供しない。とりわけ、これらの田園地域は、同じ経済的な理由と共に、しばしば通常の有線回線（固定された）電話サービスが欠如している。
更に、既存の陸上セルラ電話システムに対する容量の心配が存在する。この形式の電気通信の劇的な成功及び受け入れは、加入発展の増加に至った。いくつかの陸上セルラ電話システムは、益々増加するユーザにより、ピーク使用時間中に過負荷となった。拡張を正当化する要求が存在するが、いくつかのサービス・プロバイダは、既存の基盤施設に改良を実施すること、及びその拡張を認可することによる対応が遅れていた。いくつかの場合で、政府の規制が更に要求の増大に対する効果的なサービス・プロバイダの対応を妨げていた。
以上のことは、衛星セルラ電気通信システムの開発に寄与した。このようなシステムは、複数の移動局（更に「ユーザ端末」とも呼ばれる）と通常の陸上セルラ・システム及び有線回線電気通信システムとの間の電話通信を中継するように地球の表面上の軌道に配置された通信衛星に依存している。衛星セルラ電気通信システムにより得られるサービス及びコスト予想の両方からの主な利点は、１つの衛星が地方領域及び市街領域の両方を含む実質的なサービス・エリア上に分散された多くのユーザの電気通信要求にサービスすることができる。実際に１つの衛星は、国全体にわたって電気通信サービスを提供することができる。不可能でないならば、（海洋の表面、及び遠方の山岳領域のように）通常の陸上セルラ・システム及び有線回線電気通信システムの基盤施設の据え付けが困難な世界の地域に複数の衛星が電気通信サービスを提供することができる。
陸上セルラ電気通信システム及び衛星セルラ電気通信システムが異なる通信基準に従って動作することは、よく知られている。更に、多くの異なる形式の陸上セルラ電気通信システムが存在し、それぞれが異なる通信基準に従って動作している。従って、例えば、アジア・セルラ衛星（ＡＣｅＳ：Ａｓｉａ  Ｃｅｌｌｕｌａｒ  Ｓａｔｅｌｌｉｔｅ）形式の衛星セルラ電気通信システムをアクセスし、かつ使用するのを望む加入者は、ＡＣｅＳの通信基準に従って動作するように構成された移動局を保持し、かつ利用する必要がある。同じ加入者が移動通信用全地球システム（ＧＳＭ：Ｇｌｏｂａｌ  Ｓｙｓｔｅｍ  ｆｏｒ  Ｍｏｂｉｌｅ）形式の陸上セルラ電話システムをアクセスして使用したいのであれば、その移動局はＧＳＭの通信標準に従って動作するように構成される必要がある。同様に、移動局は、（Ｉ−ＣＯ形式の衛星セルラ電気通信システム、又はアドバンスド移動電話システム（ＡＭＰＳ又はＤ−ＡＭＰＳ：Ａｄｖａｎｃｅｄ  Ｍｏｂｉｌｅ  Ｐｈｏｎｅ  Ｓｙｓｔｅｍ）形式、又はパーソナル通信システム（ＰＣＳ：Ｐｅｒｓｏｎａｌ  Ｃｏｍｍｕｎｉｃａｔｉｏｎ  Ｓｙｓｔｅｍｓ）形式の陸上セルラ電話システムのような）任意の他の所望陸上又は衛星セルラ電話システム形式において動作するように適当に構成される必要がある。
移動局設計における最近の発展は、加入者使用に利用可能な多モード移動局を作成するに至った。このような多モード装置を２又はそれより多くの利用可能なセルラ電話システム形式のうちから任意に選択されたものにおいて動作するように構成することができる。例えば、移動局は、ＧＳＭの通信標準に従った一方のモードにおいて、及びＰＣＳ通信標準に従った他方のモードにおいて動作するように方向付けられて構成された陸上システムであってもよい。衛星セルラ電気通信システムの到来により、数が増加している移動局は、ＧＳＭのような陸上セルラ電話システムのうちの１つ、及びＡＣｅＳのような衛星セルラ電気通信システムのうちの１つにおいて動作可能である。このような移動局のアクセスは、陸上及び衛星セルラ電話システムの両者の動作へ配置することに伴い実質的に全世界に亘る電気通信サービスへのアクセスを加入者に都合よく提供する。
利用可能ないくつかの形式の陸上又は衛星セルラ電話システムのうちの１つにおける適正な多モード移動局動作を指定するために必要な通信標準要求予約情報は、通常、移動局に挿入される加入者識別モジュール（ＳＩＭ）カードに記憶される。ＳＩＭカードにより得られる主要な利点は、加入者情報のセンタ記憶であること以上に、加入者及び彼又は彼女の加入が特定の移動局にもはや拘束（又は指定）されないことである。代わって、加入者は、任意のＳＩＭ支援の移動局へ加入者の個人ＳＩＭカードを挿入して、直ちにセルラ電話呼を作成し、かつ受信するために加入にアクセスを行うことができる。
多モード移動局が特定形式の陸上又は衛星セルラ電話システムにおいて動作が可能であり、また加入者が実際にその特定システムを介して通信したいが、しかし挿入したＳＩＭカードがそのシステムにおいて適正な多モード移動局の動作を指定するために必要な特定の通信標準要求予約情報を含んでいない場合が発生することがある。例えば、多モード移動局は、ＡＣｅＳ形式の衛星セルラ電気通信システム及びＧＳＭ形式の陸上セルラ電話システムの両者において動作可能にされることがある。しかしながら、挿入した加入者ＳＩＭカードは、ＧＳＭ形式の陸上セルラ電話システムに従って動作することのみに関係した通信標準要求加入情報を含むことがある。あるＡＣｅＳの通信標準要求加入情報は、利用可能なＧＳＭの通信標準要求予約情報から失われているか、又は同等でない。従って、もし加入者にとって所定の位置でＧＳＭ形式の陸上セルラ電話システムが利用できないときは、ＡＣｅＳ形式の衛星セルラ電気通信システムが移動局のアクセスに利用可能であっても、ＳＩＭカードがＡＣｅＳの通信標準要求加入情報を含めることに失敗すれば、その衛星セルラ電気通信システムを介する移動局の動作を妨げることになる。
シャルボニェ（Ｃｈａｒｂｏｎｎｉｅｒ）による「移動通信に関する展望（Ｐｅｒｓｐｅｃｔｉｖｅ）」、３１６交換及び送信（Ｃｏｍｍｕｔａｔｉｏｎ  ＆  Ｔｒａｎｓｍｉｓｓｉｏｎ）１５（１９９３）は、ユニバーサル移動電気通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）と呼ばれる次世代形式のシステムを説明している。このシステムは、移動、新しいデータの導入及び画像サービスに何ら制限を設けておらず、かつ低くしたコストで品質を向上させている。
従って、加入者挿入のＳＩＭカードがこのような動作に必要な陸上及び衛星通信標準要求予約情報を含めることに失敗する場合であっても、多モード移動局が種々の形式の陸上及び衛星セルラ電話システムを介する完全な多モード動作を支援し、かつアクセスする必要性が存在する。
発明の概要
以上で述べた必要性に対処するために、第１及び第２形式のセルラ電話システムの両者において動作可能なこの発明の多モード移動局は、第１及び第２形式のセルラ電話システムの両者に共通する少なくともある通信標準要求予約情報を記憶する加入者識別モジュール（ＳＩＭ）カードを受け入れるスロットを含む。共通とは、通信標準要求予約情報が各システムにおいて同一又は同等であることを意味する。移動局は、更に、第１及び第２形式のセルラ電話システムの両者に非共通である通信標準要求予約情報を記憶する内部メモリを含む。非共通とは、通信標準要求予約情報が各システムに固有であることを意味する。挿入したＳＩＭカードが所望形式のセルラ電話システムにおいて十分な通信標準要求予約情報を含んでいない場合は、代わりに、セルラ通信に関与させる際にＳＩＭカード記憶の共通情報と共に使用するために、内部メモリからＳＩＭカードから失われた非共通な固有の通信標準要求予約情報が読み出される。
【図面の簡単な説明】
添付図面に関連させるときに以下の詳細な説明を参照することにより、この発明の方法及び装置のより完全な理解が得られる。
図１は衛星セルラ電気通信システム及び複数の陸上セルラ電話システムを含む電気通信システムのブロックであり、
図２は従来の加入者識別モジュール（ＳＩＭ）カードに関するディレクトリ図であり、
図３はこの発明に従って多モード移動局のブロック図であり、
図４Ａ及び図４Ｂはこの発明による移動局の動作を説明するフローチャートである。
図面の詳細な説明
図１を参照すると、衛星セルラ電気通信システム１２と、複数の陸上セルラ電気通信システム１４（１）及び１４（２）とを含む電気通信システム１０のブロック図が示されている。衛星セルラ電気通信システム１２は相互接続された複数の衛星アクセス・ノード１６（１つのみを示す）を含む。各衛星アクセス・ノード１６は、移動交換局（ＭＳＣ：ｍｏｂｉｌｅ  ｓｗｉｔｃｈｉｎｇ  ｃｅｎｔｅｒ）２０に接続された陸上地球局（ＬＥＳ：ｌａｎｄ  ｅａｒｔｈ  ｓｔａｔｉｏｎ）１８を備えている。衛星セルラ電気通信システム１２は、更に，地球の表面上の軌道に配置された複数の衛星トランシーバ２２（１つのみを示す）を含む。陸上地球局１８は無線周波数通信リンク２４を介して衛星トランシーバ２２と通信をする。衛星トランシーバ２２は無線周波数通信リンク２８を介して移動局２６（１）（１つのみを示す）と通信をする。従って、衛星トランシーバ２２は無線周波数通信リンク２４及び２８を介して陸上地球局１８と移動局２６（１）との間で電話通信（及び関連する制御信号）を中継するように機能する。移動交換局２０は、衛星セルラ電気通信システム１２内で、移動局２６（１）により生起された又は終端される電話呼を電気通信システム１０の他の部分と交換する。このようにして衛星セルラ電気通信システム１２の動作は、当該分野で習熟する者に周知であり、従って更なる説明は行わない。
各陸上セルラ電気通信システム１４（１）及び１４（２）は、それぞれ無線周波数通信リンク３２（１）及び３２（２）（１システムに付き１つのみを示す）を介して移動局２６（２）及び（３）（１システムに付き１つのみを示す）との電話通信（及び関連の制御信号）を送信する複数の基地局（ＢＳ：ｂａｓｅ  ｓｔａｔｉｏｎ）３０（２つのみを示す）を含む。各基地局３０は移動交換局（ＭＳＣ：ｍｏｂｉｌｅ  ｓｗｉｔｃｈｉｎｇ  ｃｅｎｔｅｒ）３４を通って陸上セルラ電気通信システム１４内の他の移動交換局（図示なし）に接続されている。移動交換局３４は、それぞれの陸上セルラ電気通信システム１４内で、移動局２６（２）及び２６（３）により生起される又は終端される電話呼を電気通信システム１０の他の部分と交換する。このようにして陸上セルラ電気通信システム１４の動作は、当該分野で習熟する者に周知であり、従って更なる説明を行わない。
衛星セルラ電気通信システム１２用の各衛星アクセス・ノード１６の移動交換局２０は、通信リンク３６により固定電話回線網３８（公衆交換電話回線網（ＰＳＴＮ：ｐｕｂｌｉｃ  ｓｗｉｔｃｈｅｄ  ｔｅｌｅｐｈｏｎ  ｎｅｔｗｏｒｋ）又は他の等価電話回線網を備えている）に接続されている。同様に、各陸上セルラ電気通信システム１４（１）及び１４（２）用の移動交換局３４のうちの少なくとも１つは、それぞれ通信リンク４０（１）及び４０（２）により固定電話回線網３８に接続されている。従って、移動交換局２０及び３４の動作は、更に、固定電話回線網３８を介して移動局２６（１）、２６（２）及び２６（３）により生起される又は終端される電話呼の交換を包含してる。
各陸上セルラ電気通信システム１４（１）及び（２）は２つの基地局３０のみを有するものとして示されているが、勿論、このようなシステムは、典型的には、もっと多くの基地局を含むことを理解すべきであり、また２つのみの基地局の説明は、この発明の動作についての限定というよりもその説明として解釈されるべきである。更に、各陸上セルラ電気通信システム１４（１）及び１４（２）の説明を簡単にするために１移動交換局３４のみが示されていることを理解すべきであり、このようなシステムは、典型的には、互いに（たぶん、固定電話回線網３８を介して）相互接続された多くの交換局を含むと共に、各移動交換局が複数の基地局３０に接続されていることを理解すべきである。最後に、電気通信システム１０は、典型的には、任意の時点で動作している少数というよりも遙かに多くの移動局２６を含む。従って、数個の移動局２６についての記述は，この発明の動作を限定するよりも、その説明として解釈されるべきである。
衛星セルラ電気通信システム１２と、陸上セルラ電気通信システム１４（１）及び１４（２）とは、異なる通信基準に従ってそれぞれ動作すると共に、このような基準を必要とする移動局２６はある関連の予約情報を使用し、かつアクセスする。移動局２６（移動局２６（１）、２６（２）及び２６（３））は、典型的には、特定形式のセルラ電話システムのみに関連する通信基準要求加入情報により予めプログラムされる。例えば、移動局２６（２）は、第１の陸上セルラ電気通信システム１４（１）の通信標準要求予約情報のみによりプログラムされてもよい。従って、この移動局２６（２）は第１の陸上セルラ電気通信システム１４（１）内でのみ動作するように規制される。移動局のアクセス及び使用のために適当な通信標準要求予約情報が得られないときは、与えられた衛星セルラ電気通信システム１２、陸上セルラ電気通信システム１４（１）又は１４（２）における移動局２６を動作させることができない。
移動局の設計における最近の発展は、加入者の使用に役立つ多モード移動局２６’を作り出した。このような多モード装置は、２又はそれより多くの形式のセルラ電話システムのいちの選択された任意の１つにおける動作用に構成可能とされる。例えば、移動局２６’は、第１の陸上セルラ電気通信システム１４（１）において使用する一方のモードにおいて、及び第２の陸上セルラ電気通信システム１４（２）において使用する他方のモードにおいて、動作するように適応された、及び構成された陸上システムであってもよい。代わって、移動局２６’は、衛星セルラ電気通信システム１２において使用する一方のモード、及び第２の陸上セルラ電気通信システム１４（１）において使用する他方のモードで動作するように方向付けられた（図示のように）、及び構成された衛星及び陸上システムの両方であってもよい。いずれにしろこのような場合に、多モード移動局２６’は、動作を望む各システム１２，１４（１）又は１４（２）用の通信標準要求加入情報に対するアクセスを有する必要がある。
通常の（移動局２６（１）２６（２）及び２６（３）のような）移動局と異なり、利用可能ないくつかの形式の衛星セルラ電気通信システム１２、陸上セルラ電気通信システム１４（１）又は１４（２）から選択された１つ又は複数のものにおける多モード移動局２６’の適正な動作に必要な通信標準要求加入情報に関して移動局の予備プログラミングが発生することはない。その代わりに、通信標準要求予約情報は、加入者により所有され、かつ移動局に挿入された加入者識別モジュール（ＳＩＭ）カード４６に移動局２６’により記憶され、またこれからアクセスされる。ＳＩＭカード４６使用の主要な利点は、加入者がもはや特定の１移動局のみに拘束又は規制されないことである。その代わりに、加入者は、旅行中にＳＩＭカード４６を携帯し、次いで任意のＳＩＭカード・コンパチブル移動局又は電話を使用してその加入にアクセスし、またセルラ呼を作成し、かつ受信してもよい。
ここで、従来のＳＩＭカード４６に関するディレクトリ図を示している図２を参照する。ＳＩＭカード４６は、ＳＩＭカードを所有している加入者が予約を有する各衛星セルラ電気通信システム１２、陸上セルラ電気通信システム１４（１）又は１４（２）に関する通信標準要求加入情報を記憶しているディレクトリ４８を含む。多モード移動局２６’により支援されている衛星セルラ電気通信システム１２、陸上セルラ電気通信システム１４（１）又は１４（２）のうちの与えられた１つにおいて動作を望むときは、移動局によりＳＩＭカード４６からそのシステムに関する適当な通信標準要求加入情報が取り出される。しかし残念なことに、ＳＩＭカード４６が適当に関連されるディレクトリ４８を含むのに失敗すれば、与えられた衛星セルラ電気通信システム１２、陸上セルラ電気通信システム１４（１）又は１４（２）内での動作は不可能である。
ＳＩＭカード４６の各ディレクトリ４８内に包含される情報は、当該分野で習熟する者に周知である。この情報の再検討により、含まれている通信標準要求予約情報のある部分が各ディレクトリ４８に共通であることに注目される。共通とは、発行で１ディレクトリ４８における通信標準要求予約情報が含まれている他のディレクトリのそれぞれおける予約情報と同一、又はほぼ同等であることを意味する。従って、含まれている通信標準要求予約情報の残りの部分がディレクトリ４８のなかで非共通であるということが起こる。ここで、非共通ということは、発行で各ディレクトリ４８における通信標準要求予約情報がそのディレクトリにおいて固有であり、かつ／又は他のディレクトリに同等物を有しないことを意味する。
移動局２６’は、セルラ通信が望むセルラ電話システム用の適当な通信標準要求加入情報に対してアクセスを有し、かつ使用する必要があることが認識される。しかしながら、加入者挿入のＳＩＭカード４６が所望のセルラ電話システムに関する通信標準要求予約情報を包含するディレクトリ４８を含むことに失敗する場合が発生する。このような場合に、移動局２８’がＳＩＭカード４６から適当な通信標準要求予約情報を取り出すことができなければ、所望のセルラ電話システムにおける動作が妨げられる。
ここで、この発明による多モード移動局２６”のブロック図を示している図３を参照する。移動局２６”は複数のトランシーバ５６に接続されたプロセッサ（ＣＰＵ）５４を含む。各トランシーバ５６は、異なるセルラ電話システムの周波数帯域及びチャネルにおいてそれぞれ動作するように構成される。プロセッサ５４からの出力信号により、通信のために各トランシーバ５６が動作する正確なチャネルを選択することができる。例えば、図１の衛星トランシーバ２２及び基地局３０を利用し、電気通信システム１０を介して無線通信（音声及びデータの両方）を送受信するために、トランシーバ５６にアンテナ５８が接続される。更に、プロセッサ５４にデータ記憶装置６０（好ましくは半永久的なメモリの形式にある）が接続される。データ記憶装置６０は、移動局２６”の動作を制御する際にプロセッサ５４により実行されるプログラム及びデータを記憶するために使用される。移動局２６”は、更に、プロセッサ５４に接続されたＳＩＭカード・スロット６２を含む。プロセッサ５４は、このＳＩＭカード・スロット６２を介して、加入者挿入のＳＩＭカード４６と通信をする。移動局２６”には、（マイクロホン、スピーカ、キーボード、ディスプレイのような）他の構成要素が含まれており、図３においては特に示されておらず、その特性、動作及び図示されている構成要素との相互接続は、当該分野で習熟する者に周知である。
データ記憶装置６０に記憶されたデータは、移動局２６”が動作を支援している複数のセルラ電話システムのそれぞれに関する通信標準要求予約情報のうちの非共通部分５２’を含む。ここで追加的に図２を参照すると、挿入したＳＩＭカード４６は、ディレクトリ４８から取り出される（通信標準要求加入情報を備えた）移動局２６”の動作情報用の１次ソースを残している。しかしながら、ＳＩＭカード４６がセルラ通信を望むセルラ電気通信システムに関する通信標準要求加入情報を包含するディレクトリ４８を含めるのに失敗する場合に、移動局２６”は、挿入したＳＩＭカード４６に含まれているディレクトリ４８から共通部分５０を取り出し、次いでそれ自身のデータ記憶装置６０に記憶されている非共通部分５２’を利用して所望のセルラ電気通信システム上の動作に必要な通信標準要求加入情報を完結させる。
移動局２６”の動作は、特定例を参照することにより更によく理解される。移動局２６”が衛星セルラ電気通信システム１２内の多チャネル上で機能するトランシーバ５６（１）と、第１の陸上セルラ電気通信システム１４（１）内の多チャネル上で機能するトランシーバ５６（２）と、第２の陸上セルラ電気通信システム１４（２）内の多チャネル上で機能するトランシーバ５６（ｎ）とを含むと仮定する。従って、データ記憶装置６０は、衛星セルラ電気通信システム１２、陸上セルラ電気通信システム１４（１）及び１４（２）のそれぞれに関する通信標準要求加入情報の非共通部分５２’を記憶する。ここで更に、加入者挿入のＳＩＭカード４６が第１の陸上セルラ電気通信システム１４（１）に関連する通信標準要求加入情報を包含する第１のディレクトリ４８（１）と、他のいくつかのセルラ電気通信システムに関連する第２のディレクトリ４８（２）とのみを含むと仮定する。第１の陸上セルラ電気通信システム１４（１）において移動局２６”の動作を望むときは、通常の方法によりＳＩＭカード４６ディレクトリ４８（１）から所用の通信標準要求加入情報が単純に取り出される。代わって、衛星セルラ電気通信システム１２か、又は第２の陸上セルラ電気通信システム１４（２）において動作を望むのであれば、移動局２６”は、挿入したＳＩＭカード４６が適当なディレクトリ４８及び必要な情報を含むのに失敗することを確認する。代わって、移動局２６”はＳＩＭカード上に含まれているディレクトリ４８（１）又は４８（２）から情報の共通部分５０を取り出し、次いでデータ記憶装置６０に記憶され、かつ衛星セルラ電気通信システム１２又は第２の陸上セルラ電気通信システム１４（２）のうちから選択された１つに関連されている通信標準要求予約情報の非共通部分５２’を利用して所望のシステム上ので動作を支援する。
共通通信標準要求予約情報と非共通通信標準要求予約情報との間の区別及び相違は、特定の例を参照することによりよく理解される。例えば、ＡＣｅＳ形式の衛星セルラ電気通信システム及びＧＳＭ形式の陸上セルラ電気通信システムの両方に関連したＳＩＭカード４６記憶の通信標準要求加入情報を取り上げる。各ディレクトリ４８は複数の基本ファイルから作成されている。表１は、第１欄にＳＩＭ基本ファイル名、第２欄にＧＳＭ形式の陸上セルラ電気通信システムに関するファイルの内容（即ち、通信標準要求加入情報）、及び第３欄にＡＣｅＳ形式の衛星セルラ電気通信システムに関するファイル内容を記載している。
0003969744.tif 000002
共通又は両立可能な情報内容を有する基本ファイルの構成は、アプリケーション毎に変わり得ることに注意すべきである。例えば、以上で説明した殆どの基本ファイルは、ＡＣｅＳ形式の衛星セルラ電気通信システムと、ＧＳＭ形式の陸上セルラ電気通信システムとの両方に用いられ、かつ同一又は等価な情報を含む。これらの基本ファイルは、少なくともこれらの電気通信システム用の通信標準要求加入情報の共通部分５０を備えている。しかしながら、両立可能ではなく、かつ／又はＡＣｅＳ形式の衛星セルラ電気通信システム又はＧＳＭ形式の陸上セルラ電気通信システムのうちのいずれか一方又は他方のみに使用するために必要な基本ファイル（星印により識別される）は、通信標準要求加入情報の非共通部分５２を備えている。これら（それぞれ支援される電気通信システムに関する）基本ファイル用のデフォールト情報は、移動局２６”用のデータ記憶装置６０の非共通部分５２’に記憶され、従って挿入した加入者ＳＩＭカード４６が所望の電気通信システムに関する通信標準要求予約情報を含めることに失敗する場合に、移動局のアクセス及び使用のために提供可能にする。その代わりに又は加えて、ファイル・スペースがデータ記憶装置６０の非共通部分５２’に確保され、かつ加入者は非共通部分５２’に必要な特定の情報を入力可能にされる。
ここで、移動局２６”の動作を説明するフローチャートを示す図４Ａ及び４Ｂを参照する。ステップ１００において、いくつかの利用可能電気通信システムのうちのいずれを動作用に選択したのかを移動局が認識する。ステップ１０２において、選択した電気通信システムに対応するＳＩＭカード上のディレクトリが選択される。判断ステップ１０４において、選択したディレクトリが存在するか否かについて判断をする。イエスならば（フロー１０６）、ＳＩＭカードに記憶された通信標準要求加入情報を利用して当該分野で習熟する者に周知の通常方法により、移動局の動作が継続する。ノーならば、ステップ１１２において，移動局はＳＩＭカードから国際移動加入者識別（ＩＭＳＩ：ｉｎｔｅｒｎａｔｉｏｎａｌ  ｍｏｂｉｌｅ  ｓｕｂｓｃｉｂｅｒ  ｉｄｅｎｔｉｔｙ）を読み出す。判断ステップ１１４において、読み出したＩＳＭＩの数が移動局のデータ記憶装置に前に記憶したＩＳＭＩの数と一致するか否かについて判断をする。このステップは、本質的に、移動局を現在使用している加入者が過去において移動局を最近に使用した加入者と同一であるか否かについて試験する。ＩＳＭＩの数が一致しなければ（フロー１１６）、これは、移動局を現在使用している加入者が新しい加入者であること、かつ移動局のデータ記憶装置に記憶した位置情報が正しくないことを意味している。次いで、ステップ１１８において、記憶した位置情報は消去されて、選択した電気通信システムにより再登録する（即ち、位置の更新を実行する）ように移動局を強制する。次いで、含まれている基本フィールドのうちのあるもの又は複数のもの（例えば、暗号キー又は暗号キー・シーケンス番号）用の記憶した値は、消去され（ステップ１２０）、その後、認証の結果として更新される（再び、以下を参照のこと）。従って、ステップ１２２において、加入者は、記憶した動作データのいくつか、例えば、衛星又は陸上セルラ電気通信システムプロバイダの選択を変更し、かつ禁止されたプロバイダのリストを識別する機会が与えられる。
その後、即ちステップ１１４において、ＩＳＭＩの数が一致すれば（フロー１２４）、移動局はチャネル検索を実行し、かつ選択した電気通信システム用のプロバイダを選択する（ステップ１２６及び１２８）。従ってステップ１３０において、位置の更新は必要か否かについて判断をする。これは、部分的にステップ１１８において位置情報が既に消去されたか否かによっている。位置更新を必要とするときは（フロー１３２）、ステップ１３４において認証も必要か否かについて判断をする。認証処理が電気通信システムとＳＩＭカード（移動局でない）との間で実行され、これによってＳＩＭカードの存在ない移動局の動作を防止するので、認証を必要とすることは好ましい。認証が必要であれば（フロー１３６）、ＳＩＭカードから加入者認証キーが取り出され、かつ認証処理を実行するために使用される（ステップ１３８）。次にステップ１４０において、暗号キー及び暗号キー番号が更新されてデータ記憶装置６０又はＳＩＭカードに記憶される。このようなデータは、好ましくは、ＳＩＭカードの存在なしに認証処理を実行するのを防止するために、データ記憶装置６０に記憶されない。
その後、即ちステップ１３６において認証を必要としないときは（フロー１４２）、ステップ１４４において移動局は位置更新動作を実行する。次いでステップ１４６において、移動局用の位置情報が更新されてＳＩＭカードに記憶される。その後、即ちステップ１３０において、位置更新が必要でないときは（フロー１４８）、必要に従ってＳＩＭカード４６に又はデータ記憶装置６０に記憶されている通信標準要求予約情報を使用して、当該分野で習熟する者に周知の方法により通常の移動局動作が続く。
この発明の方法及び装置の１又はそれより多くの実施例を添付図面に示し、かつ以上の詳細説明において説明したが、この発明は、開示した実施例に限定されず、以下の請求項に記載され、かつ定義したように、この発明の精神から逸脱することなく、多数の再配列、変更及び置換が可能である。
【図１】
0003969744.tif 000003
【図２】
0003969744.tif 000004
【図３】
0003969744.tif 000005
【図４Ａ】
0003969744.tif 000006
【図４Ｂ】
0003969744.tif 000007